(57)【要約】      （修正有）【課題】屋根の上へ荷揚げ対象物を荷揚げする荷揚げ装置において、軽量で設置や解体や搬出入を簡単に行え、安価で作業の安全性を確保しつつも作業者の労力を大幅に軽減可能にする。【解決手段】梯子２の下端側部分の踏桟４に固定された下支柱５と、梯子２の上端側部分の踏桟４に固定された上支柱６と、下支柱５と上支柱６とに張架されたガイド用ロープ７と、上支柱６の上端近傍部に付設された定滑車８と、ガイド用ロープ７に支持されて昇降移動可能な滑車ブロック９と、滑車ブロック９を昇降移動させる為の荷揚げロープ１０と、荷揚げ対象物３を吊持可能な吊持具１１と、下支柱５と梯子２の踏桟４とを連結するチェーン部材１２と、梯子２の上端に固定される延長部材１３と、上支柱６と延長部材１３とを連結するチェーン部材１４とを備え、作業者が地上から荷揚げロープ１０を地上側へ引っ張り操作することでパネル３を荷揚げできる【選択図】図１
2011201636.tif 000002
【特許請求の範囲】
【請求項１】
地上から屋根に立て掛ける金属製梯子に着脱可能に設けられる荷揚げ装置において、
上記梯子の下端側部分に着脱可能に固定され梯子の前面側へ突出する下支柱と、
上記梯子の上端側部分に着脱可能に固定され梯子の前面側へ突出する上支柱と、
梯子の前面から離隔するように下支柱と上支柱とに張架されたガイド用ロープと、
上支柱の上端近傍部に付設された定滑車と、
前記ガイド用ロープで支持される遊転滑車と動滑車とを有する滑車ブロックと、
上支柱の上端近傍部又は定滑車に一端が連結され且つ動滑車と定滑車を経由して地上へ延びる荷揚げロープと、
前記滑車ブロックに連結されて荷揚げ対象物を吊持可能な吊持具と、
を備えたことを特徴とする荷揚げ装置。
【請求項２】
前記下支柱は、梯子の幅方向の中央に対応する位置に梯子の長手方向と直交又は略直交する状態に配設され、前記下支柱の下部は、梯子の横木に１対の垂木止クランプを介して固定されたライダーズタラップに、１対の垂木止クランプを介して固定されたことを特徴とする請求項１に記載の荷揚げ装置。
【請求項３】
前記上支柱は、梯子の幅方向の中央に対応する位置に鉛直又は略鉛直な状態に配設され、前記上支柱の下部は、梯子の横木に１対の垂木止クランプを介して固定されたライダーズタラップに、１対の垂木止クランプを介して固定されたことを特徴とする請求項２に記載の荷揚げ装置。
【請求項４】
前記下支柱の上端部と、梯子の下端近傍部の横木とを連結するチェーン部材を設けたことを特徴とする請求項２に記載の荷揚げ装置。
【請求項５】
前記梯子の上端より上方へ延びる延長部材を１対の垂木止クランプを介して梯子に固定し、前記上支柱の上端部と、前記延長部材の上端部とを連結するチェーン部材を設けたことを特徴とする請求項３に記載の荷揚げ装置。
【請求項６】
前記ガイド用ロープの上端部が前記定滑車を介して前記上支柱に連結されたことを特徴とする請求項１に記載の荷揚げ装置。
【請求項７】
前記滑車ブロックに前記遊転滑車より上側に位置するガイド滑車を設け、
前記荷揚げロープを前記ガイド滑車と遊転滑車とで案内することを特徴とする請求項１に記載の荷揚げ装置。
【発明の詳細な説明】
【技術分野】
【０００１】
本発明は、荷揚げ装置に関し、梯子に着脱可能に取り付けて屋根へ荷揚げする手動式の荷揚げ装置に関するものである。
【背景技術】
【０００２】
一般住宅の屋根の上に太陽電池パネルやソーラ温水器のパネルを取り付けたり、屋根瓦を取り付けたり、その他の修繕工事等を行う場合に、地上から屋根の軒端に亙ってアルミニウム製の梯子を立て掛け、作業者が資材を抱えながら梯子を登って屋根の上へ資材を荷揚げする作業を行っている。特に、屋根に複数枚（例えば、１７〜２３枚）の太陽電池パネルを取り付ける場合、重量のある１枚のソーラパネル（１枚当り約１７ｋｇ）の荷揚げ作業を繰り返し行う必要があるため、多大な労力と時間がかかるうえに、作業の安全性も確保できないという問題がある。このような問題点を解決する為に種々の荷揚げ装置が提案され実用に供されている。
【０００３】
特許文献１の手動式の荷揚げ装置は、梯子の左右１対の縦枠材の前面に昇降可能に設けられ荷揚げ対象物を載せる荷台と、荷台を梯子の縦枠材に沿って手動にて昇降移動させる牽引機構を有する。
荷台は、伸縮可能な縦枠と横枠とを有する金属製の矩形枠体と、枠体の下部に取り付けられて荷揚げ対象物の底部を支持する金属製の１対の座板と、縦枠の両側部に固定され梯子の両側を挟み込む１対の側部位置決め板などを備えている。
【０００４】
牽引機構は、枠体の上端部の左右両端部に連結された１対の鎖の頂部を支持する動滑車と、梯子の最上段の横木（踏桟）に固定した吊り下げ用紐に連結された定滑車と、吊り下げ用紐に一端が連結され且つ他端が動滑車と定滑車を経由して地上へ延びる荷揚げ用ロープとを備えている。作業者が地上から荷揚げ用ロープを地上側に引っ張ることで荷台を梯子に沿って昇降させることできる。
【０００５】
他方、特許文献２の電動式の荷揚げ装置は、梯子の左右１対の縦枠材の前面側に沿って配設され１対の縦枠材よりも広幅の１対のガイドレールと、これらガイドレールの前面に昇降可能に取り付けられ荷揚げ対象物を載せる荷台と、梯子の下端部分の踏桟に着脱可能に固定され荷台をガイドレールに沿って昇降移動させる小型の電動ウインチとを備えている。
【先行技術文献】
【特許文献】
【０００６】
【特許文献１】特開２００５−１２０６３８号公報
【特許文献２】特開２００３−６３７９９号公報
【発明の概要】
【発明が解決しようとする課題】
【０００７】
２階建て等の屋根が高い家屋に２段のスライド式梯子を立て掛ける場合、梯子の縦枠材の前面が段付き状になるため、梯子の長手方向の全長に亙って昇降させる昇降体を用いることができない。そのため、屋根付近では、人力にて荷揚げ対象物を荷揚げすることになるため、危険であり、多大の労力を要する。
【０００８】
特許文献１の荷揚げ装置においては、１個の荷揚げ対象物の荷揚げの都度、荷揚げ対象物の他に、金属製の重い荷台も手動にて荷揚げすることになるため、荷揚げの労力を軽減することはできない。荷台は、枠体、座板、側部位置決め板など部品数が多いため、製作コストが高価になるうえ、使用場所に搬出入するのに多大の労力を要する。
【０００９】
特許文献２の荷揚げ装置は、装置を構成する部品点数が多いため、製作コストが高価になるうえ、梯子への組み付け作業や分解作業に多大の労力と時間を要する。屋根ふき作業等の作業期間の長い作業の場合には設置して使用する価値があるとしても、太陽電池パネルやソーラ温水器のパネルの取り付け作業のように、短期間で済む作業に採用するのには適していない。
【００１０】
本発明の目的は、屋根の上へ荷揚げ対象物を荷揚げする荷揚げ装置において、軽量な装置にすること、設置や解体や搬出入を簡単に行えるようにすること、安価に製作可能にすること、作業の安全性を確保しつつも作業者の労力を大幅に軽減可能にすること、等である。
【課題を解決するための手段】
【００１１】
請求項１の荷揚げ装置は、地上から屋根に立て掛ける金属製梯子に着脱可能に設けられる荷揚げ装置において、上記梯子の下端側部分に着脱可能に固定され梯子の前面側へ突出する下支柱と、上記梯子の上端側部分に着脱可能に固定され梯子の前面側へ突出する上支柱と、梯子の前面から離隔するように下支柱と上支柱とに張架されたガイド用ロープと、上支柱の上端近傍部に付設された定滑車と、前記ガイド用ロープで支持される遊転滑車と動滑車とを有する滑車ブロックと、上支柱の上端近傍部又は定滑車に一端が連結され且つ動滑車と定滑車を経由して地上へ延びる荷揚げロープと、前記滑車ブロックに連結されて荷揚げ対象物を吊持可能な吊持具とを備えたことを特徴としている。
【００１２】
請求項２の荷揚げ装置は、請求項１の発明において、前記下支柱は、梯子の幅方向の中央に対応する位置に梯子の長手方向と直交又は略直交する状態に配設され、前記下支柱の下部は、梯子の横木に１対の垂木止クランプを介して固定されたライダーズタラップに、１対の垂木止クランプを介して固定されたことを特徴としている。
【００１３】
請求項３の荷揚げ装置は、請求項２の発明において、前記上支柱は、梯子の幅方向の中央に対応する位置に鉛直又は略鉛直な状態に配設され、前記上支柱の下部は、梯子の横木に１対の垂木止クランプを介して固定されたライダーズタラップに、１対の垂木止クランプを介して固定されたことを特徴としている。
【００１４】
請求項４の荷揚げ装置は、請求項２の発明において、前記下支柱の上端部と、梯子の下端近傍部の横木とを連結するチェーン部材を設けたことを特徴としている。
請求項５の荷揚げ装置は、請求項３の発明において、前記梯子の上端より上方へ延びる延長部材を１対の垂木止クランプを介して梯子に固定し、前記上支柱の上端部と、前記延長部材の上端部とを連結するチェーン部材を設けたことを特徴としている。
【００１５】
請求項６の荷揚げ装置は、請求項１の発明において、前記ガイド用ロープの上端部が前記定滑車を介して前記上支柱に連結されたことを特徴としている。
【００１６】
請求項７の荷揚げ装置は、請求項１の発明において、前記滑車ブロックに前記遊転滑車より上側に位置するガイド滑車を設け、前記荷揚げロープを前記ガイド滑車と遊転滑車とで案内することを特徴としている。
【発明の効果】
【００１７】
請求項１の発明によれば、荷揚げ装置が、下支柱と上支柱と、ガイド用ロープと、定滑車と、滑車ブロックと、荷揚げロープと、滑車ブロックに連結された吊持具等で構成されているため、全体の重量が軽量で、簡単な少数の部材から構成されるため安価に製作可能であり、設置や解体や搬出入を簡単に行なうことができる。
【００１８】
作業者が地上から荷揚げロープで荷揚げ対象物だけを荷揚げできるため、作業の安全性を確保しつつ荷揚げ作業の労力を大幅に軽減することができる。
滑車ブロックは、梯子の前面側から離隔するように下支柱と上支柱とに張架されたガイド用ロープでガイドされつつ荷揚げロープにより昇降移動するので、屋根が高い家屋の場合に複数段のスライド式梯子を適用してもスムーズに昇降移動することができる。
【００１９】
請求項２の発明によれば、下支柱は、梯子の幅方向の中央に対応する位置に梯子の長手方向と直交又は略直交する状態に配設され、下支柱の下部は、梯子の横木に１対の垂木止クランプを介して固定されたライダーズタラップに、１対の垂木止クランプを介して固定されたので、下支柱を梯子に確実に強固に固定することができ、下支柱を梯子の横木に１対の垂木止クランプを介して固定するため、下支柱を梯子に容易に取り付けたり、取り外しすることができる。
【００２０】
垂木止クランプは安価な量産品が市販されているため、製作費の面で有利である。垂木止クランプは、固定／固定解除を簡単に行うことができ、固定状態では強固なクランプ状態となるので、種々の面で有利である。
【００２１】
請求項３の発明によれば、上支柱は、梯子の幅方向の中央に対応する位置に鉛直又は略鉛直な状態に配設され、上支柱の下部は、梯子の横木に１対の垂木止クランプを介して固定されたライダーズタラップに、１対の垂木止クランプを介して固定されたので、上支柱を梯子に確実に強固に固定することができ、上支柱を梯子の横木に１対の垂木止クランプを介して固定するため、上支柱を梯子に容易に取り付けたり、取り外しすることができる。
【００２２】
垂木止クランプは安価な量産品が市販されているため、製作費の面で有利である。垂木止クランプは、固定／固定解除を簡単に行うことができ、固定状態では強固なクランプ状態となるので、種々の面で有利である。
【００２３】
請求項４の発明によれば、下支柱の上端部と、梯子の下端近傍部の横木とを連結するチェーン部材を設けたので、荷揚げ対象物と滑車ブロックの昇降移動時の下支柱のぐらつきを確実に防止することができる。
【００２４】
請求項５の発明によれば、梯子の上端よりも上方へ延びる延長部材を１対の垂木止クランプを介して梯子に固定し、上支柱の上端部と、延長部材の上端部とを連結するチェーン部材を設けたので、荷揚げ対象物と滑車ブロックの昇降移動時の上支柱のぐらつきを確実に防止することができる。
【００２５】
請求項６の発明によれば、ガイド用ロープの上端部が定滑車を介して上支柱に連結されたので、滑車ブロックがガイド用ロープでガイドされつつ荷揚げロープによりスムーズに昇降移動することができる。
【００２６】
請求項７の発明によれば、滑車ブロックに遊転滑車より上側に位置するガイド滑車を設け、荷揚げロープをガイド滑車と遊転滑車とで案内するので、荷揚げ対象物と滑車ブロックの昇降移動時の荷揚げロープのぐらつきを確実に防止することができる。
【図面の簡単な説明】
【００２７】
【図１】本発明の実施例１に係る屋根に立て掛けた梯子と荷揚げ装置の斜視図である。
【図２】図１の梯子と荷揚げ装置の側面図である。
【図３】梯子の踏桟に下支柱を固定した状態を示す要部拡大斜視図である。
【図４】梯子の踏桟に上支柱と延長部材を固定した状態を示す要部拡大斜視図である。
【図５】遊転滑車と動滑車とからなる滑車ブロックの斜視図である。
【図６】吊持具（閉状態）の斜視図である。
【図７】吊持具（開状態）の斜視図である。
【図８】パネルを挟持した状態の吊持具の斜視図である。
【図９】実施例２に係る屋根に立て掛けた梯子と荷揚げ装置の側面図である。
【図１０】梯子の踏桟に下支柱を固定した状態を示す要部拡大斜視図である。
【図１１】梯子の踏桟に上支柱を固定した状態を示す要部拡大斜視図である。
【図１２】遊転滑車と動滑車とガイド滑車とからなる滑車ブロックの斜視図である。
【図１３】ガイド用ロープと荷揚げロープを滑車ブロックと定滑車に取り付けた状態を示す斜視図である。
【図１４】変更形態に係る吊持具の斜視図である。
【発明を実施するための形態】
【００２８】
以下、本発明を実施するための形態について実施例に基づいて説明する。
【実施例１】
【００２９】
図１、図２に示すように、荷揚げ装置１は、地上から家屋の屋根Ｒの軒端に立て掛けたアルミニウム製の二段のスライド式梯子２に着脱可能に設けられ、作業者による地上からの手動操作により荷揚げ対象物３（例えば、太陽電池パネルやソーラ温水器のパネルなど）を屋根Ｒの上に荷揚げできる手動式の荷揚げ装置である。
【００３０】
この荷揚げ装置１は、梯子２の下端側部分に固定された下支柱５と、梯子２の上端側部分に固定された上支柱６と、下支柱５と上支柱６とに張架されたガイド用ロープ７と、上支柱６の上端近傍部に付設された定滑車８と、ガイド用ロープ７に支持されて昇降移動可能な滑車ブロック９と、滑車ブロック９を昇降移動させる為の荷揚げロープ１０と、荷揚げ対象物３を吊持可能な吊持具１１と、下支柱５と梯子２の横木（踏桟）４とを連結するチェーン部材１２と、梯子２の上端に固定される延長部材１３と、上支柱６と延長部材１３とを連結するチェーン部材１４とを備えている。
【００３１】
図１〜図３に示すように、下支柱５は、梯子２の前面側から前方へ突出するように屋根Ｒに立て掛けた梯子２の長手方向と略直交する状態（ほぼ垂直状態）に且つ梯子２の幅方向の中央に対応する位置に配設され、梯子２の下端近傍部の最下段の踏桟４ａよりも一段上の踏桟４ｂに１対の垂木止クランプ１９，２０を介して着脱可能に強固に固定されている。尚、下支柱５は、梯子２の長手方向と直交する状態（垂直状態）に固定してもよい。
【００３２】
下支柱５は所定の長さの鋼製のパイプで構成され、この下支柱５は、梯子２の下端側部分の踏桟４ｂに着脱可能に固定される。下支柱５の上端部分には、３つのアイナット１５が固定されている。下支柱５の下端側部分には、上下１対の垂木止クランプ１７，１８を介してライダーズタラップ１６が取り付けられている。ライダーズタラップ１６は湾曲材１６ａと直線材１６ｂとでＤ字状に形成され、下支柱５の下部が垂木止クランプ１７により湾曲材１６ａの頂部中央に連結され、下支柱５の下端部が垂木止クランプ１８により直線材１６ｂに固定されている。
【００３３】
ライダーズタラップ１６の湾曲材１６ａと直線材１６ｂの両端部には、１対の垂木止クランプ１９，２０が取り付けられ、これら垂木止クランプ１９，２０が踏桟４ｂに着脱可能に強固に固定されている。こうして、下支柱５とライダーズタラップ１６は、１対の垂木止クランプ１７，１８により一体的に連結された下支柱ブロック５Ａとなっており、この下支柱ブロック５Ａが垂木止クランプ１９，２０により踏桟４ｂに着脱可能に強固に固定されている。それ故、垂木止クランプ１９，２０のクランプ用ボルト・ナットを操作することで、下支柱ブロック５Ａを梯子２に対して迅速に固定したり、固定解除したりすることができる。
【００３４】
ガイド用ロープ７の張力がある程度大きくなっても下支柱５がガタつかないように、下支柱５の上端部をガイド用ロープ７の反対側へ引っ張る補強手段としてのチェーン部材１２が設けられている。チェーン部材１２は、下支柱５の上端部を梯子２の下端近傍部に連結する為に傾斜状に弛みなく張架され、下支柱５とチェーン部材１２とで直角三角形の２辺を形成し、チェーン部材１２が直角三角形の斜辺となし、下支柱５とチェーン部材１２間の角度は約２０〜３０度である。
【００３５】
チェーン部材１２の下端部に単クランプ２１を設け、チェーン部材１２の上端部にフック部材２２を設けてある。フック部材２２は、例えば金属製のスプリングフックからなる。チェーン部材１２の下端部が梯子２の下端近傍部の最下段の踏桟４ａの中央部位に単クランプ２１を介して着脱可能に連結され、チェーン部材１２の上端部が下支柱５の上端部のアイナット１５にフック部材２２を介して着脱可能に連結され、弛みのない状態に張架されたチェーン部材１２が梯子２の踏桟４ａと下支柱５の上端部とを連結している。それ故、ガイド用ロープ７から下支柱５の上端部に大きな荷重が作用しても、下支柱５がガタつくことがない。
【００３６】
図１、図２、図４に示すように、上支柱６は、梯子２の上端側部分の踏桟４ｃに着脱可能に固定され、この上支柱６は、屋根Ｒに立て掛けた梯子２の前面側へ且つ上方へ突出するように鉛直又は略鉛直な状態に且つ梯子２の幅方向の中央に対応する位置に配設され、上支柱６の下端部分が梯子２の上端近傍部の最上段の踏桟４ｃに１対の垂木止クランプ２７，２８を介して着脱可能に強固に固定されている。
【００３７】
上支柱６は、所定の長さの鋼製のパイプで構成され、上端部分には、３つのアイナット２３が固定されている。上支柱６の下端側部分には、ライダーズタラップ１６と同様のライダーズタラップ２４が取り付けられている。ライダーズタラップ２４は湾曲材２４ａと直線材２４ｂとでＤ字状に形成され、上支柱６の下部が垂木止クランプ２５により湾曲材２４ａの頂部中央に連結され、上支柱６の下端部が垂木止クランプ２６により直線材２４ｂに連結されている。
【００３８】
ライダーズタラップ２４の湾曲材２４ａと直線材２４ｂの両端部には、１対の垂木止クランプ２７，２８が取り付けられ、これら垂木止クランプ２７，２８が踏桟４ｃに着脱可能に強固に固定されている。それ故、上支柱６とライダーズタラップ２４は、１対の垂木止クランプ２５，２６により一体的に連結された上支柱ブロック６Ａとなっており、この上支柱ブロック６Ａが垂木止クランプ２７，２８により踏桟４ｃに着脱可能に強固に固定されている。それ故、垂木止クランプ２７，２８のクランプ用ボルト・ナットを操作することで、上支柱ブロック６Ａを梯子２に対して迅速に固定したり、固定解除したりすることができる。
【００３９】
ガイド用ロープ７の張力がある程度大きくなっても、上支柱６がガタつかないように、上支柱６の上端部をガイド用ロープ７と反対側へ引っ張る補強手段としての延長部材１３及びチェーン部材１４が設けられている。上支柱６と延長部材１３とチェーン部材１４とで直角三角形が形成され、上支柱６が上記直角三角形の斜辺をなし、上支柱６とチェーン部材１４間の角度は約５０〜６０度である。チェーン部材１４は、上支柱６の上端部を延長部材１３の上端部に連結する状態に弛みなく張架されている。
【００４０】
延長部材１３は、屋根Ｒに立て掛けた梯子２の上端側部分の後面に梯子２の上端より上方に延び梯子２と平行な状態に配設されている。延長部材１３は、所定の長さの鋼製のパイプで構成され、上端部にはアイナット３２が固定されている。
【００４１】
延長部材１３の下部には垂木止クランプ２９が取り付けられ、延長部材１３の下端部には垂木止クランプ３０が取り付けられ、上記の垂木止クランプ２９を梯子２の最上段の踏桟４ｃに着脱可能に固定し且つ垂木止クランプ３０を踏桟４ｃの一段下の踏桟４ｄに着脱可能に固定することにより、延長部材１３が梯子２に着脱可能に強固に固定されている。それ故、延長部材１３と垂木止クランプ２９，３０は一体的に連結された延長部材ブロック１３Ａとなっており、垂木止クランプ２９，３０のクランプ用ボルト・ナットを操作することで、延長部材ブロック１３Ａを梯子２に対して迅速に固定したり、固定解除したりすることができる。
【００４２】
チェーン部材１４の両端部にフック部材３１ａ，３１ｂを設けてある。フック部材３１ａ，３１ｂは、例えば金属製のスプリングフックからなる。チェーン部材１４の一端部が延長部材１３の上端部のアイナット３２にフック部材３１ｂを介して連結され、チェーン部材１４の他端部が上支柱６の上端部のアイナット２３にフック部材３１ａを介して連結され、弛みなく張架されたチェーン部材１４により、上支柱６の上端部と延長部材１３の上端部とを連結している。
【００４３】
図１〜図４に示すように、ガイド用ロープ７は、耐久性と強度のある登山用ロープ（スタティックロープ）で構成されている。ガイド用ロープ７の下端部が下支柱５の上端部のアイナット１５に固定され、ガイド用ロープ７の上端部が上支柱６の上端部のアイナット２３に固定されている。ガイド用ロープ７は、下支柱５と上支柱６間において梯子２の前面側から前方へ離隔した状態で上支柱６の方へ移行するほど梯子２側へ移行するように傾斜状に架設され、弛みのない状態に張架されている。
【００４４】
図４に示すように、定滑車８の上端部にフック部材３３を設け、定滑車８の下端部に荷揚げロープ１０の一端を固定する止め金具８ａを設けてある。定滑車８は、上支柱６の上端近傍部のアイナット２３にフック部材３３を介して連結されている。
図１、図２、図５に示すように、滑車ブロック９は、ガイド用ロープ７に支持される遊転滑車９ａと、荷揚げロープ１０をＵ形に案内して荷揚げロープ１０に吊持された動滑車９ｂとを有する。滑車ブロック９の下端部には、荷揚げ対象物３を吊持する後述の吊持具１１を吊持するフック部材３７が設けられている。
【００４５】
図１，図２に示すように、荷揚げロープ１０は、ガイド用ロープ７と同様に登山用ロープで構成されている。荷揚げロープ１０の上端部が定滑車８の止め具８ａに固定され、止め金具８ａから下方へ延びた荷揚げロープ１０は、滑車ブロック９の動滑車９ｂを経由して上方へ延びて定滑車８でＵターンして下方へ延びて、下端部が下支柱５の上端部分のアイナット１５に固定されている。
こうして、滑車ブロック９は、ガイド用ロープ７に支持された状態で昇降可能であり、荷揚げロープ１０を下方へ引っ張ると、滑車ブロック９がガイド用ロープ７に沿って上昇し、荷揚げロープ１０を繰り出すと、滑車ブロック９がガイド用ロープ７に沿って下降する。滑車ブロック９が最下位置のとき、荷揚げロープ１０が弛みのない張架状態になる。
【００４６】
図６〜図８に示すように、吊持具１１は太陽電池パネルやソーラ温水器のパネル３などの荷揚げ対象物を荷揚げ装置１により屋根Ｒの上へ荷揚げする際に、荷揚げ対象物を吊持するためのものである。吊持具１１は滑車ブロック９のフック部材３７に吊持した状態で使用される。
【００４７】
吊持具１１は、太陽電池パネルやソーラ温水器のパネル３（荷揚げ対象物）の前面に当接する平板状の当接板３４と、当接板３４と接近対向状に配設されパネル３の裏面側を保持する保持板３５と、当接板３４の上端部と保持板３５の上端部とをヒンジ結合する金属製のスプリング付きヒンジ部材３６と、滑車ブロック９のフック部材３７と連結する為の紐部材３８とを有する。
【００４８】
当接板３４は、パネル３の前面の上端部の一部と当接する大きさの厚手の木板で矩形状に形成されている。当接板３４の下端部のパネル当接面には例えば薄ゴム板などの高摩擦部材３９が貼着されている。
【００４９】
保持板３５は、当接板３４の長手方向の長さよりも短く且つ当接板３４と同幅の大きさの厚手の矩形の木板３５ａと、上端部から当接板３４の方へ少し延びる連結部３５ｂとで側面視逆Ｌ字形に形成されている。保持板３５の下端部のパネル保持面には、保持板３５の幅よりも長い横長の角材からなる係合部材４０が固定されている。係合部材４０の前面の中央部分には、当接板３４が係合する浅い係合凹部（図示略）が形成されている。係合部材４０の上端部には、例えば薄ゴム板などの高摩擦部材４１が貼着されている。
【００５０】
ヒンジ部材３６により、当接板３４の上端部と保持板３５の連結部３５ｂの端部が連結され、当接板３４と保持板３５とが開閉可能であり、スプリングにより当接板３４と保持板３５が閉方向へ付勢されている。
【００５１】
紐部材３８は、吊持具１１をフック部材３７に連結する機能と、荷揚げ対象物３の重量を利用して当接板３４と保持板３５とを閉動作させる機能とを有するものである。紐部材３８は、登山用ロープで構成されている。紐部材３８の上部は、吊持具１１の上端外へ延びたＵ形係合部３８ａに形成され、このＵ形係合部３８ａが滑車ブロック９のフック部材３７に吊持される。
【００５２】
紐部材３８の下部は吊持具１１の内部空間に延びている。紐部材３８の下部のうちの一端側部分が当接板３４のパネル当接面の方へ延び、当接板３４の中段部に形成された紐挿通孔を挿通して外側に突出し、玉結びされた端部が当接板３４で係止されている。紐部材３８の下部のうちの他端側部分が保持板３５のパネル保持面の方へ延び、紐挿通孔を挿通して外側に突出し、玉結びされた端部により保持板３５に係止されている。
【００５３】
吊持具１１に前記のパネル３を挟持する場合、図７、図８に示すように、紐部材３８を弛めて当接板３４と保持板３５を開き、パネル３の長手方向の外周枠３ａの下面中央部を係合部材４０の上面に高摩擦部材４１を介して係合させ、当接板３４をパネル３の前面に高摩擦部材３９を介して当接させ、紐部材３８のＵ形係合部３８ａを上方へ引っ張って緊張状態にすると、当接板３４と保持板３５とが閉状態になって両者が協働してパネル３の上端部を吊持可能に挟持した状態になる。
【００５４】
以上説明した実施例１の荷揚げ装置１の作用、効果について説明する。
一般住宅の高い屋根Ｒの上に太陽電池パネルやソーラ温水器のパネル３を取り付けたり、又はその他の屋根の修繕工事を行う為、地上から屋根Ｒの軒端に亙って立て掛けるアルミニウム製の二段のスライド式梯子２に手動式の荷揚げ装置１を取り付けて手動にてパネルを屋根Ｒの上へ荷揚げする。
【００５５】
この荷揚げ装置１は、分解した形態で使用場所に搬送し、梯子２を屋根Ｒに立て掛けてから、その梯子２に、下支柱ブロック５Ａ、チェーン部材１２、上支柱ブロック６Ａ、延長部材ブロック１３Ａ、チェーン部材１４、ガイド用ロープ７、荷揚げロープ１０、滑車ブロック９等を取り付ける。この荷揚げ装置準備作業は、約２０分程度の短時間で行うことができる。次に、荷揚げ対象物のパネル３を滑車ブロック９に連結した吊持具１１で吊持可能に準備し、パネル３の下端部の裏面を梯子２の左右１対の縦枠材２ａの表面に軽く接触状態にし、その状態で荷揚げを行う。
【００５６】
作業者が地上から荷揚げロープ１０を地上側へ引っ張り操作すると、定滑車８と、滑車ブロック９の動滑車９ｂとを介して滑車ブロック９と吊持具１１とパネル３とがガイド用ロープ７と梯子２に沿って上昇移動し、パネル３が梯子２の上端付近まで荷揚げされる。次に、屋根Ｒ側に待機している作業者がパネル３を片手で把持して屋根Ｒの上へ移載する。
【００５７】
ここで、動滑車９ｂを利用しているため、パネル３と滑車ブロック９の重量の約１／２の引っ張り力で荷揚げすることができる。荷揚げロープ１０を地上側で引っ張り操作するだけで、軽い力で荷揚げできるため、パネル３の荷揚げを楽に能率的に行うことができる。しかも、パネル３以外には滑車ブロック９を荷揚げするのみで、荷揚げ装置１に属する昇降台等の重量物を荷揚げする必要がないため、荷揚げ作業の労力を大幅に軽減できると共に、荷揚げ作業の安全性を確保することできる。
【００５８】
このように、荷揚げ装置１は、下支柱５と、上支柱６と、ガイド用ロープ７と、定滑車８と、滑車ブロック９と、荷揚げロープ１０と、チェーン部材１２と、延長部材１３と、チェーン部材１４と、滑車ブロック９に連結された吊持具１１等で構成されているため、全体の重量が軽量で、簡単な少数の部材から構成されるため安価に製作可能であり、設置や解体や搬出入を簡単に行なうことができる。
【００５９】
作業者が地上から荷揚げロープ１０で荷揚げ対象物のパネル３だけを荷揚げできるため、作業の安全性を確保しつつ荷揚げ作業の労力を大幅に軽減することができる。
滑車ブロック９は、梯子２の前面側から離隔するように下支柱５と上支柱６とに張架されたガイド用ロープ７でガイドされつつ荷揚げロープ１０により昇降移動するので、屋根Ｒが高い家屋の場合に複数段のスライド式梯子を適用してもスムーズに昇降移動することができる。
【００６０】
下支柱５は、梯子２の幅方向の中央に対応する位置に梯子２の長手方向と直交又は略直交する状態に配設され、下支柱５の下部は、梯子２の踏桟４ｂに１対の垂木止クランプ１９，２０を介して固定されたライダーズタラップ１６に、１対の垂木止クランプ１７，１８を介して固定されたので、下支柱５を梯子２に確実に強固に固定することができ、下支柱ブロック５Ａを梯子２の踏桟４ｂに１対の垂木止クランプ１９，２０を介して固定するため、下支柱５を梯子２に容易に取り付けたり、取り外しすることができる。
【００６１】
垂木止クランプ１７〜２０は安価な量産品が市販されているため、製作費の面で有利である。垂木止クランプ１７〜２０は、固定／固定解除を簡単に行うことができ、固定状態では強固なクランプ状態となるので、種々の面で有利である。
【００６２】
上支柱６は、梯子２の幅方向の中央に対応する位置に鉛直又は略鉛直な状態に配設され、上支柱６の下部は、梯子２の踏桟４ｃに１対の垂木止クランプ２７，２８を介して固定されたライダーズタラップ２４に、１対の垂木止クランプ２５，２６を介して固定されたので、上支柱６を梯子２に確実に強固に固定することができ、上支柱ブロック６Ａを梯子２の踏桟４ｃに１対の垂木止クランプ２７，２８を介して固定するため、上支柱ブロック６Ａを梯子２に容易に取り付けたり、取り外しすることができる。
【００６３】
垂木止クランプ２５〜２８は安価な量産品が市販されているため、製作費の面で有利である。垂木止クランプ２５〜２８は、固定／固定解除を簡単に行うことができ、固定状態では強固なクランプ状態となるので、種々の面で有利である。
【００６４】
下支柱５の上端部と、梯子２の下端近傍部の踏桟４ａとを連結するチェーン部材１２を設けたので、パネル３と滑車ブロック９の昇降移動時の下支柱５のぐらつきを確実に防止することができる。
【００６５】
梯子２の上端よりも上方へ延びる延長部材１３を１対の垂木止クランプ２９，３０を介して梯子２に固定し、上支柱６の上端部と、延長部材１３の上端部とを連結するチェーン部材１４を設けたので、パネル３と滑車ブロック９の昇降移動時の上支柱のぐらつきを確実に防止することができる。
【００６６】
滑車ブロック９が最下位置のとき、荷揚げロープ１０が弛みのない張架状態になるので、荷揚げロープ１０の下端部分がふらつくことがなく、作業者１人で滑車ブロック９へのパネル３のセッティングと荷揚げロープ１０の引っ張り操作を行うことができる。
【実施例２】
【００６７】
次に、実施例２について、図９〜図１３に基づいて説明する。但し、前記実施例１と同一の構成には同一の符号を付し、異なる構成についてのみ説明する。
図９に示すように、この荷揚げ装置１Ａは、下支柱５と、上支柱６ａと、ガイド用ロープ４２と、荷揚げロープ５０と、上支柱６ａの上端近傍部に付設された定滑車８と、遊転滑車４３ａと動滑車４３ｂとガイド滑車４３ｃとを有する滑車ブロック４３と、下支柱５と梯子２の踏桟４ａとを連結するチェーン部材１２と、上支柱６ａと梯子２の踏桟４ｄとを連結するチェーン部材４４とを備えている。
【００６８】
図９、図１０に示すように、下支柱５及びライダーズタラップ１６は、実施例１と同様に構成され、１対の垂木止クランプ１７，１８により一体的に連結された下支柱ブロック５Ａとなっており、この下支柱ブロック５Ａが垂木止クランプ１９，２０により梯子２の踏桟４ｂに着脱可能に強固に固定されている。
【００６９】
図９、図１１に示すように、上支柱６ａは、梯子２の上端近傍部の最上段の踏桟４ｃに着脱可能に固定され、この上支柱６ａは、屋根Ｒに立て掛けた梯子２の前面側へ且つ上方へ突出するように略鉛直な状態に且つ梯子２の幅方向の中央に対応する位置に配設されている。
【００７０】
上支柱６ａは、実施例１の上支柱６よりも長い鋼製のパイプで構成され、上端部と下端部には、夫々、アイナット４５が固定されている。この上支柱６ａの下部は、梯子２の踏桟４ｃに１対の垂木止クランプ２７，２８を介して固定されたライダーズタラップ２４に、１対の垂木止クランプ２５，２６を介して強固に固定されている。それ故、上支柱６ａとライダーズタラップ２４は、１対の垂木止クランプ２５，２６により一体的に連結された上支柱ブロック６Ｂとなっており、この上支柱ブロック６Ｂが垂木止クランプ２７，２８により梯子２の踏桟４ｃに着脱可能に強固に固定されている。
【００７１】
荷揚げロープ５０から上支柱６ａに大きな荷重が作用しても上支柱６ａがガタつかないように補強手段としてのチェーン部材４４が設けられている。チェーン部材４４は、上支柱６ａの下端部と梯子２の踏桟４ｄを連結する傾斜状に弛みなく張架されている。
【００７２】
チェーン部材４４の下端部に単クランプ４６を設け、チェーン部材４４の上端部にフック部材４７を設けてある。フック部材４７は、例えば金属製のスプリングフックからなる。チェーン部材４４の下端部が梯子２の踏桟４ｄの中央部位に単クランプ４６を介して着脱可能に連結され、チェーン部材４４の上端部が上支柱６ａの下端部のアイナット４５にフック部材４７を介して着脱可能に連結され、弛みのない状態に張架されたチェーン部材４４が梯子の踏桟４ｄと上支柱６ａの下端部とを連結している。
【００７３】
図９、図１２、図１３に示すように、滑車ブロック４３は、ガイド用ロープ４２に支持される遊転滑車４３ａと、荷揚げロープ５０をＵ形に案内して荷揚げロープ５０に吊持された動滑車４３ｂと、遊転滑車４３より上側に位置し遊転滑車４３ａと協働して荷揚げロープ５０を案内するガイド滑車４３ｃとを有する。滑車ブロック４３の下端部には、荷揚げ対象物３を吊持する吊持具１１を吊持するフック部材４８が設けられている。
【００７４】
図９、図１３に示すように、ガイド用ロープ４２と荷揚げロープ５０は、夫々、登山用ロープで構成されている。ガイド用ロープ４２の下端部が下支柱５の上端部分のアイナット１５に固定され、ガイド用ロープ４２の上端部が定滑車８の連結金具４９に固定されている。
荷揚げロープ５０の上端部が連結金具４９に固定され、連結金具４９から下方へ延びた荷揚げロープ５０は、滑車ブロック４３の動滑車４３ａを経由して上方へ延びて定滑車８でＵターンし、滑車ブロック４３の遊転滑車４３ａとガイド滑車４３ｃで案内されつつ下方へ延びて、下端部が下支柱５の上端部８のアイナット１５に連結されている。滑車ブロック４３が最下位置のとき、荷揚げロープ５０が弛みのない張架状態になる。
【００７５】
こうして、滑車ブロック４３は、ガイド用ロープ４２で支持された状態で昇降可能であり、荷揚げロープ５０を下方へ引っ張ると、ガイド用ロープ４２に沿って上昇し、荷揚げロープ５０を繰り出すと、滑車ブロック４３がガイド用ロープ４２に沿って下降する。
【００７６】
以上説明した実施例２の荷揚げ装置１Ａの作用・効果について説明する。
地上から屋根Ｒの軒端に立て掛けるアルミニウム製の二段のスライド式梯子２に手動式の荷揚げ装置１Ａを取り付けて手動にてパネル３を屋根Ｒの上へ荷揚げする。
【００７７】
この荷揚げ装置１Ａは、分解した形態で使用場所に搬送し、梯子２を屋根Ｒに立て掛けてから、その梯子２に、下支柱ブロック５Ａ、チェーン部材１２、上支柱ブロック６Ｂ、チェーン部材４４、ガイド用ロープ４２、荷揚げロープ５０、滑車ブロック４３等を取り付ける。この荷揚げ装置準備作業は、約２０分程度の短時間で行うことができる。次に、荷揚げ対象物のパネル３を滑車ブロック９に連結した吊持具１１で吊持可能に準備し、パネル３の下端部の裏面を梯子２の左右１対の縦枠材２ａの表面に軽く接触状態にし、その状態で荷揚げを行う。
【００７８】
作業者が地上から荷揚げロープ５０を地上側へ引っ張り操作すると、定滑車８と、滑車ブロック４３の動滑車４３ｂとを介して滑車ブロック４３と吊持具１１とパネル３とがガイド用ロープ４２と梯子２に沿って上昇移動し、パネル３が梯子２の上端付近まで荷揚げされる。次に、屋根Ｒ側に待機している作業者がパネル３を片手で把持して屋根Ｒの上へ移載する。
【００７９】
このように、この荷揚げ装置１Ａは、下支柱５と、上支柱６ａ、定滑車８と、ガイド用ロープ４２と、荷揚げロープ５０と、滑車ブロック４３と、チェーン部材１２，４４と、滑車ブロック４３に連結された吊持具１１等で構成され、実施例１の荷揚げ装置１と同様の効果が得られる。
【００８０】
さらに、荷揚げロープ５０は、滑車ブロック４３ａの遊転滑車４３ａとガイド滑車４３ｃとで案内されるので、パネル３と滑車ブロック４３を荷揚げする際、荷揚げロープ５０がふらつくことがない。
【００８１】
荷揚げロープ５０のうちの引っ張り操作されるロープが、ロープよりも上側のガイド滑車４３ｃで支持され且つ引っ張り操作されるロープがガイド用ロープ４２よりも上側に位置するので、ガイド用ロープ４２及び荷揚げロープ５０でパネル３と滑車ブロック４３を支持して、荷揚げ時の滑車ブロック４３とパネル３のふらつきと、これらの荷重による荷揚げロープ５０の撓みを軽減することができる。
【００８２】
滑車ブロック４３が最下位置のとき、荷揚げロープ５０が弛みのない張架状態になるので、荷揚げロープ５０の下端部分がふらつくことがなく、作業者１人で滑車ブロック４３へのパネル３のセット作業と荷揚げロープ５０の引っ張り操作を行うことができる。
【００８３】
実施例を部分的に変更した変更例について説明する。
１］実施例では、二段のスライド式梯子２に荷揚げ装置１，１Ａを取り付けて荷揚げ対象物３を荷揚げする例を説明したが、この荷揚げ装置１，１Ａは複数段のスライド式梯子にも適用することができる。
【００８４】
２］実施例では、パネル３を吊持可能に挟持する吊持具１１について説明したが、その他、例えば工具や屋根瓦等を屋根Ｒの上に荷揚げする場合には、工具や屋根瓦等を吊持可能に収容する吊持具で工具や屋根瓦を荷揚げしてもよい。
【００８５】
３］パネル３を吊持可能に挟持する吊持具１１は、実施例のものに限定されるものではない。例えば、図１４に示すように、吊持具５１は、実施例の吊持具１１とは、保持板の形状、係合部材の構造が異なる。前記実施例１と同一の構成には同一の符号を付し、異なる構成についてのみ説明する。
【００８６】
保持板５２は、当接板３４の長手方向の長さよりも短く且つ正面視台形形状の木板５２ａと、上端部から当接板３４の方へ少し延びる連結部５２ｂとで側面視逆Ｌ字形に形成されている。保持板５２の下端部のパネル保持面には、保持板５２の幅よりも長い横長の角材からなる係合部材５３であって、その中央部分が切欠かれて分断された係合部材５３が固定されている。この係合部材５３の中央部分には係合凹部５４が形成されている。係合凹部５４は、実施例の係合凹部よりも深く凹設されている。この吊持具５１は、強度を高める為に裏面の中央にプロテクションバーを設けたパネルを吊持する場合に採用される。
【００８７】
吊持具５１にプロテクションバーを設けたパネルを挟持する場合、パネルの長手方向の外周枠の下面中央部分の一部を係合部材５３の上面に高摩擦部材４１を介して係合させるとともに、プロテクションバーを係合凹部５４に係合させる。当接板３４をパネルの前面に高摩擦部材３９を介して当接させ、紐部材３８のＵ形係合部３８ａを上方へ引っ張って緊張状態にすると、当接板３４と保持板５２とが閉状態となって両者が協働してパネルの上端部を吊持可能に挟持した状態になる。
【００８８】
４］実施例では、ガイド用ロープ７，４２や荷揚げロープ１０，５０等に登山用ロープを採用したが、ワイヤーロープや、その他耐久性や強度のあるロープを採用してもよい。ガイド用ロープ７，４２と荷揚げロープ１０，５０を一本のロープで構成してもよい。
また、チェーン部材１２，１４，４４の代わりにワイヤーロープ等の耐久性や強度のあるロープを採用してもよい。
【００８９】
５］実施例１では、荷揚げロープ１０の上端部を定滑車８の止め金具８ａに固定したが、上支柱６の上端部分のアイナット２３に固定してもよい。
【００９０】
６］実施例２では、荷揚げロープ５０をガイド滑車４３ｃと遊転滑車４３ａとで案内したが、ガイド滑車４３ｃの代わりにガイドローラーや荷揚げロープ５０を案内可能なガイド部材等を採用してもよい。
【００９１】
７］その他、当業者であれば、本発明の趣旨を逸脱することなく、前記実施例に種々の変更を付加した形態が実施可能であり、本発明はそのような変更形態を包含するものである。
【符号の説明】
【００９２】
Ｒ            屋根
１、１Ａ      荷揚げ装置
２            梯子
３            パネル（荷揚げ対象物）
４            踏桟
５            下支柱
６、６ａ      上支柱
７、４２      ガイド用ロープ
８            定滑車
９、４３      滑車ブロック
９ａ、４３ａ  遊転滑車
９ｂ、４３ｂ  動滑車
１０、５０    荷揚げロープ
１１          吊持具
１２          チェーン部材
１３          延長部材
１４          チェーン部材
１６          ライダーズタラップ
２４          ライダーズタラップ
１７〜２０    垂木止クランプ
２５〜２８    垂木止クランプ
４３ｃ        ガイド滑車
【図１】
2011201636.tif 000003
【図２】
2011201636.tif 000004
【図３】
2011201636.tif 000005
【図４】
2011201636.tif 000006
【図５】
2011201636.tif 000007
【図６】
2011201636.tif 000008
【図７】
2011201636.tif 000009
【図８】
2011201636.tif 000010
【図９】
2011201636.tif 000011
【図１０】
2011201636.tif 000012
【図１１】
2011201636.tif 000013
【図１２】
2011201636.tif 000014
【図１３】
2011201636.tif 000015
【図１４】
2011201636.tif 000016